(57)【要約】  建物内に設置されたエネルギー量計測センサについて、自動で動作、接続確認を行う事が可能な建物内センサネットワークの構築装置及び方法を提供する。  建物２内に設置された設備機器及びエネルギー量を計測するセンサと、サーバとの間のネットワーク２１を構築する装置である。ルータ、サーバに自動接続を試みる手段と、接続失敗した場合に、失敗した機器と原因を表示する手段と、ルータ、サーバに接続できた場合に、ルータ、サーバを介して、設備機器、センサに自動接続を試みる手段と、設備機器、センサのいずれかへ接続失敗した場合には、失敗した機器と原因を表示する手段と、接続できた設備機器、センサの動作確認状況及び建物２内における設置場所を表示する手段と、接続できた設備機器、センサについて、自動接続を試みた結果、動作確認状況、設置場所の情報を、確認結果記憶手段に登録する手段を備える。
2014049849.tif 000002
【特許請求の範囲】
【請求項１】
建物内に設置された設備機器及びエネルギー量を計測するセンサと、サーバとの間のネットワークを構築する装置であって、
ルータ及び前記サーバに自動接続を試みる手段と、
前記ルータ又は前記サーバへの接続に失敗した場合に、接続失敗した機器と、接続に失敗した原因と考えられる事項を表示する手段と、
前記ルータ及び前記サーバに接続できた場合に、前記ルータ及び前記サーバを介して、前記設備機器及び前記センサに自動接続を試みる手段と、
前記設備機器及び前記センサのうちいずれかへの接続に失敗した場合には、接続失敗した機器と、接続に失敗した原因と考えられる事項を表示する手段と、
接続できた前記設備機器及び前記センサの動作確認状況及び前記建物内における設置場所を表示する手段と、
前記接続できた前記設備機器及び前記センサについて、前記自動接続を試みた結果と、前記動作確認状況及び前記設置場所の情報を、確認結果記憶手段に登録する手段と、を備えることを特徴とする建物内センサネットワークの構築装置。
【請求項２】
前記建物を該建物の利用者に供給する業者のコンピュータであることを特徴とする請求項１記載の建物内センサネットワークの構築装置。
【請求項３】
前記ネットワークの対象となるすべての前記設備機器及び前記センサに接続できたことを条件として、前記設備機器及び前記センサと、該設備機器及び該センサの前記設置場所とのリストを保存するための保存ボタンを表示する手段と、
前記保存ボタンがクリックされたときに、前記リストを格納した電子ファイルを、該当する前記建物を識別する識別情報を含むファイル名を付して、接続機器一覧記憶手段に格納する手段と、を備えることを特徴とする請求項１又は２記載の建物内センサネットワークの構築装置。
【請求項４】
前記エネルギー量計測を計測するセンサは、前記建物の分電盤に設けられた回路に取付けられた電力量計と、水道又はガスの使用量を計測するパルスセンサと、ガスの使用量を測定するパルスセンサと、発電装置の発電電力量を計測する発電電力量センサと、を含む群から選択されたセンサであることを特徴とする請求項１乃至３いずれか記載の建物内センサネットワークの構築装置。
【請求項５】
前記ルータとの接続解除が指示されたときに、前記ルータへの接続許可のために入力された接続ＩＤが、前記構築装置が日常用いているネットワークに接続するための所定ＩＤに一致するかを判定し、一致する場合には、前記ルータとの接続解除を中止する手段を備えることを特徴とする請求項１乃至４いずれか記載の建物内センサネットワークの構築装置。
【請求項６】
前記サーバは、前記複数の前記設備機器及び前記センサの中に互いに異なる通信プロトコルにて通信する機器が存在するとき、制御信号を前記設備機器及び前記センサに向けて送信する際に用いる通信プロトコルを、送信先の前記設備機器及び前記センサが用いる通信プロトコルに応じて切り替えることにより、前記設備機器及び前記センサを制御可能なプロトコル切り替え手段を備えることを特徴とする請求項１乃至５いずれか記載の建物内センサネットワークの構築装置。
【請求項７】
建物内に設置された設備機器及びエネルギー量を計測するセンサと、サーバとの間のネットワークを構築する方法であって、
コンピュータが、ルータ及び前記サーバに自動接続を試みる手順と、
前記ルータ又は前記サーバへの接続に失敗した場合に、接続失敗した機器と、接続に失敗した原因と考えられる事項を表示する手順と、
前記コンピュータが、前記ルータ及び前記サーバに接続できた場合に、前記ルータ及び前記サーバを介して、前記設備機器及び前記センサに自動接続を試みる手順と、
前記設備機器及び前記センサのうちいずれかへの接続に失敗した場合には、接続失敗した機器と、接続に失敗した原因と考えられる事項を表示する手順と、
接続できた前記設備機器及び前記センサの動作確認状況及び前記建物内における設置場所を表示する手順と、
前記接続できた前記設備機器及び前記センサについて、前記自動接続を試みた結果と、前記動作確認状況及び前記設置場所の情報を、確認結果記憶手段に登録する手順と、を備えることを特徴とする建物内センサネットワークの構築方法。
【発明の詳細な説明】
【技術分野】
【０００１】
本発明は建物内センサネットワークの構築装置及び方法に係り、特に、エネルギー消費機器のエネルギー消費量や発電装置の発電量等を計測するセンサからの情報を自動で収集可能なセンサネットワークを構築する建物内センサネットワークの構築装置及び方法に関する。
【背景技術】
【０００２】
電気機器等、建物内で使用されているエネルギー消費機器の運転状態を制御する制御システムは、既に知られており、かかる制御システムの中には、エネルギー消費機器と通信してエネルギー消費機器の運転状態を遠隔制御する制御装置を備えているものがある（例えば、特許文献１参照）。【０００３】
特許文献１に記載のシステムは、住宅外より携帯通信端末を使ってシステムにアクセスすることにより、住宅内の各種電気機器を住宅外から遠隔制御可能な住宅内電気機器遠隔制御システムである。特許文献１では、かかるシステムを構築するために、住宅内への電気機器設置や電気配線設備等の配線の後、所謂ホームサーバのような機能を果たす住宅内情報分電盤装置を設置して、宅内ネットワークを構築する作業を住宅の建設工事中に行うこととしている。【０００４】
そして、特許文献１では、依頼主に住宅を引き渡す前に、住宅内の電気機器を遠隔制御することができるか否かの動作検査を行うこととしている。
この動作検査では、依頼主に住宅を引き渡す前であるため、スタンドアローンの状態にある住宅内情報分電盤装置に、検査用のパソコンを直接接続し、住宅内情報分電盤装置を介して、住宅内の電気機器と通信して、これらの機器の動作確認を行う。検査用のパソコン画面上に、検索画面や設定サイト等が表示され、これらの画面上で動作確認を行う。
これにより、従来のように、依頼主が入居してから外部の者が検査のために住宅の内部に立ち入ったり、依頼主が既に入居した後にシステムの手直しを要したりする等の不都合が生じるのを防止することが可能になる。
【先行技術文献】
【特許文献】
【０００５】
【特許文献１】特許第４６５３４４８号公報
【発明の概要】
【発明が解決しようとする課題】
【０００６】
しかし、特許文献１のような従来技術では、通信確認時に、通信に成功したか失敗したかの表示しかされないため、どの部分の接続に問題があるのかは、検査作業者が自ら探し出し、判断する必要があった。
また、分電盤で分岐された回路の数や、分岐回路等に設けられた電力計測装置の有無、また、太陽光発電電池や燃料電池等の各種設備機器の有無について、自動認識できないものがあったため、作業者が入力する必要があった。
また、特許文献１のような従来技術では、住宅内の電気機器を遠隔制御することができるか否かの動作検査は行っているが、住宅内の遠隔制御システム構築時に、太陽光発電装置や燃料電池等の創エネルギー設備や、各電気機器の電力量センサの動作検査を行う技術は知られていない。【０００７】
本発明は、上記事情に鑑みてなされたものであって、その目的は、建物内に設置されたエネルギー量計測センサについて、自動で動作、接続確認を行う事が可能な建物内センサネットワークの構築装置及び方法を提供することにある。
本発明の他の目的は、建物内に設置されたエネルギー量計測センサの自動の動作、接続確認中に、接続に失敗したときに、どの機器との接続に問題があるのかを示すことが可能な建物内センサネットワークの構築装置及び方法を提供することにある。
【課題を解決するための手段】
【０００８】
前記課題は、請求項１に係る発明によれば、建物内に設置された設備機器及びエネルギー量を計測するセンサと、サーバとの間のネットワークを構築する装置であって、ルータ及び前記サーバに自動接続を試みる手段と、前記ルータ又は前記サーバへの接続に失敗した場合に、接続失敗した機器と、接続に失敗した原因と考えられる事項を表示する手段と、前記ルータ及び前記サーバに接続できた場合に、前記ルータ及び前記サーバを介して、前記設備機器及び前記センサに自動接続を試みる手段と、前記設備機器及び前記センサのうちいずれかへの接続に失敗した場合には、接続失敗した機器と、接続に失敗した原因と考えられる事項を表示する手段と、接続できた前記設備機器及び前記センサの動作確認状況及び前記建物内における設置場所を表示する手段と、前記接続できた前記設備機器及び前記センサについて、前記自動接続を試みた結果と、前記動作確認状況及び前記設置場所の情報を、確認結果記憶手段に登録する手段と、を備えること、により解決される。【０００９】
前記課題は、請求項７に係る発明によれば、建物内に設置された設備機器及びエネルギー量を計測するセンサと、サーバとの間のネットワークを構築する方法であって、コンピュータが、ルータ及び前記サーバに自動接続を試みる手順と、前記ルータ又は前記サーバへの接続に失敗した場合に、接続失敗した機器と、接続に失敗した原因と考えられる事項を表示する手順と、前記コンピュータが、前記ルータ及び前記サーバに接続できた場合に、前記ルータ及び前記サーバを介して、前記設備機器及び前記センサに自動接続を試みる手順と、前記設備機器及びセンサのうちいずれかへの接続に失敗した場合には、接続失敗した機器と、接続に失敗した原因と考えられる事項を表示する手順と、接続できた前記設備機器及び前記センサの動作確認状況及び前記建物内における設置場所を表示する手順と、前記接続できた前記設備機器及び前記センサについて、前記自動接続を試みた結果と、前記動作確認状況及び前記設置場所の情報を、確認結果記憶手段に登録する手順と、を備えること、により解決される。【００１０】
このように構成するため、建物内の電気機器だけでなく、エネルギー量を計測するセンサについても、自動的にサーバ側で動作確認及び接続が可能となる。
また、ルータ又はサーバへの接続に失敗した場合に、接続失敗した機器と、接続に失敗した原因と考えられる事項を表示する手段と、設備機器及びセンサのうちいずれかへの接続に失敗した場合には、接続失敗した機器と、接続に失敗した原因と考えられる事項を表示する手段と、を備えているため、自動で動作、接続確認を行ったときに、接続確認に失敗した際でも、どの段階で失敗したかをすぐに知ることができ建物内でのセンサネットワークの構築に掛かる時間と手間を節約できる。
更に、保存ボタンがクリックされたときに、リストを格納した電子ファイルを、該当する建物を識別する識別情報を含むファイル名を付して、接続機器一覧記憶手段に格納する手段を備えるため、その建物について、設備機器とセンサの動作、接続確認が完了しているか否か、また、部分的に完了している場合には、どの段階まで完了しているかの情報を残すことができる。【００１１】
また、前記建物を該建物の利用者に供給する業者のコンピュータであってもよい。
このように構成しているため、建物を供給する業者が、建物内センサネットワークの構築を行う事ができる。【００１２】
また前記ネットワークの対象となるすべての前記設備機器及び前記センサに接続できたことを条件として、前記設備機器及び前記センサと、該設備機器及びセンサの前記設置場所とのリストを保存するための保存ボタンを表示する手段と、前記保存ボタンがクリックされたときに、前記リストを格納した電子ファイルを、該当する前記建物を識別する識別情報を含むファイル名を付して、接続機器一覧記憶手段に格納する手段と、を備えていてもよい。
このように構成しているため、電子ファイルに格納されたリストに登録された設備機器及びセンサの設置場所の情報を、建物内で使用される電気機器を制御する所謂ホールエネルギーマネジメントシステム（ＨＥＭＳ）に用いることが可能となる。【００１３】
また、前記エネルギー量計測を計測するセンサは、前記建物の分電盤に設けられた回路に取付けられた電力量計と、水道又はガスの使用量を計測するパルスセンサと、ガスの使用量を測定するパルスセンサと、発電装置の発電電力量を計測する発電電力量センサと、を含む群から選択されたセンサであってもよい。
このように構成しているため、建物に設けられる種々のセンサを網羅した建物内センサネットワークを構築できる。【００１４】
また、前記ルータとの接続解除が指示されたときに、前記ルータへの接続許可のために入力された接続ＩＤが、前記構築装置が日常用いているネットワークに接続するための所定ＩＤに一致するかを判定し、一致する場合には、前記ルータとの接続解除を中止する手段を備えていてもよい。
このように構成しているため、ルータに接続するために用いた接続ＩＤが、日常用いる職場等でのネットワークに接続するための所定ＩＤと一致している場合であっても、ルータとの接続解除時に自動で消去されてしまうことがない。【００１５】
また、前記サーバは、前記複数の前記設備機器及び前記センサの中に互いに異なる通信プロトコルにて通信する機器が存在するとき、制御信号を前記設備機器及び前記センサに向けて送信する際に用いる通信プロトコルを、送信先の前記設備機器及び前記センサが用いる通信プロトコルに応じて切り替えることにより、前記設備機器及び前記センサを制御可能なプロトコル切り替え手段を備えていてもよい。
上記の構成であれば、プロトコル切り替え手段が通信相手に応じて通信プロトコルを切り替えることにより、ユーザ側では通信プロトコルの違いを意識しなくともサーバに対して各設備機器及びセンサの制御を要求することが可能となる。
【発明の効果】
【００１６】
本発明の建物内センサネットワークの構築装置によれば、建物内の電気機器だけでなく、エネルギー量を計測するセンサについても、自動的にサーバ側で動作確認及び接続が可能となる。
また、ルータ又はサーバへの接続に失敗した場合に、接続失敗した機器と、接続に失敗した原因と考えられる事項を表示する手段と、設備機器及びセンサのうちいずれかへの接続に失敗した場合には、接続失敗した機器と、接続に失敗した原因と考えられる事項を表示する手段と、を備えているため、自動で動作、接続確認を行ったときに、接続確認に失敗した際でも、どの段階で失敗したかをすぐに知ることができ建物内でのセンサネットワークの構築に掛かる時間と手間を節約できる。
更に、保存ボタンがクリックされたときに、リストを格納した電子ファイルを、該当する建物を識別する識別情報を含むファイル名を付して、接続機器一覧記憶手段に格納する手段を備えるため、その建物について、設備機器とセンサの動作、接続確認が完了しているか否か、また、部分的に完了している場合には、どの段階まで完了しているかの情報を残すことができる。
【図面の簡単な説明】
【００１７】
【図１】本発明の一実施形態の住宅内センサネットワークの全体構成図である。
【図２】本発明の一実施形態の端末コンピュータのハード構成図である。
【図３】本実施形態の住宅内センサネットワークを構築する流れを示すフローチャートである。
【図４】チェックツールプログラムのトップ画面及びルータ接続画面である。
【図５】チェックツールプログラムの処理を示すフローチャートである。
【図６】チェックツールプログラムを実行する端末、ルータ、ホームサーバの接続状態を確認する確認画面である。
【図７】チェックツールプログラムの処理を示すフローチャートである。
【図８】センサ、エアコン、蓄電池の接続確認を行うための接続機器確認画面である。
【図９】センサの接続確認の前に事前にセンサのデータを入力するセンサデータ入力画面である。
【図１０】センサの接続確認の状況を表示する分岐センサ一覧画面、その他センサ一覧画面である。
【図１１】チェックツールプログラムの処理を示すフローチャートである。
【図１２】チェックツールプログラムの処理を示すフローチャートである。
【図１３】チェックツールプログラムで実行された接続確認結果を示す動作確認結果画面及びその内容を保存するための接続機器一覧ファイルである。
【図１４】チェックツールプログラムの処理を示すフローチャートである。
【図１５】エアコンの接続確認の状況を表示するエアコン一覧画面である。
【図１６】チェックツールプログラムの処理を示すフローチャートである。
【図１７】チェックツールプログラムの処理を示すフローチャートである。
【図１８】蓄電池の接続確認の状況を表示する蓄電池一覧画面である。
【発明を実施するための形態】
【００１８】
以下、本発明の実施形態について、図を参照して説明する。なお、以下に説明する構成は、本発明を限定するものではなく、本発明の趣旨に沿って各種改変することができることは勿論である。
（住宅内センサネットワーク）
本実施形態の住宅内センサネットワークは、建物としての住宅内のエネルギー生産・消費状況を監視するセンサネットワークであって、住宅の分電盤の分岐回路等に設置された電力量センサや、発電装置の発電量センサ、ガス、水道のパルスセンサ等とホームサーバとの間で情報の送受信が可能な情報ネットワークであり、住宅２内で使用される電気機器を制御する所謂ホールエネルギーマネジメントシステム（ＨＥＭＳ）に用いられる。
ＨＥＭＳは、住宅２内でのエネルギー消費量を管理する上で、住宅２内で使用される複数の電気機器の電力消費量を可視化（見える化）し、その視覚化された情報を住宅２の利用者に対して報知するシステムである。本実施形態の住宅内センサネットワークを通じて、各電気設備の電力使用量、発電装置の発電量、ガス、水道の使用量等のデータをホームサーバが取得し、エネルギー消費量及び発電量を可視化する。
【００１９】
図１は、住宅内センサネットワークの全体構成図である。
住宅内センサネットワークは、住宅２内に構築されサーバとしてのホームサーバ１０により制御されるホームネットワーク２１と、住宅２内のルータ１３を介してホームネットワーク２１に通信可能に接続される端末コンピュータ５１（以下、端末５１とする）を備えている。
住宅２は、建物の一例であって、本発明は、住宅２以外の建物、例えば商業ビル、工場内の建屋、店舗等において使用されるエネルギー消費機器を制御する場合にも適用可能である。なお、住宅２とは、一戸建ての家の他、マンションのような集合住宅における一部屋も含む概念である。
なお、ホームサーバ１０は、ルータ１３を介して不図示のインターネットに接続し、インターネットを通じて住宅管理会社のサーバコンピュータと通信可能として、住宅２の居住者が、住宅管理会社からウェブで提供されるサービスを利用可能としてもよい。
【００２０】
住宅２内には、家庭内ＬＡＮと呼ばれる各部屋を結ぶホームネットワーク２１が構築されており、このホームネットワーク２１には、図１に示すように、ホームサーバ１０と、各回路の電力量を測定する分岐センサ１１ａと、電気機器の消費電力量を測定する電力計測タップ１１ｂと、分岐センサ１１ａ、電力計測タップ１１ｂ、発電電力量センサ１１ｃ、発電電力量センサ１１ｄ、ガス用パルスセンサ１１ｅ、水道用パルスセンサ１１ｆで計測された消費・発電電力量のデータを一時的に蓄積してホームサーバ１０に伝送するデータロガー１１ｇと、住宅２内で、居住者が、消費電力の使用量等に関する情報の閲覧や電気機器等の操作を行うディスプレイ１２と、ホームネットワーク２１と外部のインターネット等のネットワークとを相互接続するルータ１３と、エアコン、照明等の各種電気機器と、分電盤３０と、太陽光発電装置４１、燃料電池４２、太陽光発電装置４１及び燃料電池４２で発電された電力を蓄電する蓄電池４３、ガス用パルスセンサ１１ｅ、水道用パルスセンサ１１ｆが接続されている。
【００２１】
ホームサーバ１０は、ホームネットワーク２１内の情報を管理する装置であって、ホームネットワーク２１に接続されたディスプレイ１２、分電盤３０、太陽光発電装置４１、電気機器２３等の機器のアドレスを管理すると共に、これらの機器と通信を行い、機器の状態などの情報を取得し、機器の状態を制御する機器管理機能を有する。ホームサーバ１０は、サーバコンピュータ、パーソナルコンピュータや、セットトップボックス、他の既存の機器に組み込まれるなどの形態で実現される。ホームサーバ１０のハード構成は、端末５１と同様であるため、説明を省略する。
【００２２】
ところで、一般的に、ＨＥＭＳが搭載された住宅２では、共通の通信プロトコル（通信方式や通信規格と同義）を採用した電気機器を使用することが推奨されており、例えば、ＥＣＨＯＮＥＴコンソーシアムが提唱する通信プロトコルを採用した機器に統一されていることが望まれている。一方、ＥＣＨＯＮＥＴコンソーシアムが提唱するプロトコルとしては、ＥＣＨＯＮＥＴ（登録商標）と、その後継規格であるＥＣＨＯＮＥＴＬｉｔｅ（登録商標）とがあり、住宅２内の電気機器において両プロトコルが混在する場合がある。また、ユーザが購入する電気機器の中には、ＥＣＨＯＮＥＴやＥＣＨＯＮＥＴＬｉｔｅ以外の通信プロトコル外の機器が含まれる場合もある。
【００２３】
そして、ホームネットワーク２１では、住宅２で使用される複数の電気機器及びセンサ中、互いに異なる通信プロトコルにて通信する機器が存在する。このため、ホームサーバ１０の記憶手段には、ホームサーバ１０が住宅２の通信相手と通信するための通信用バンドルが通信プロトコル別に記憶されている。つまり、住宅２内の電気機器及びセンサが採用する通信プロトコルの種類数だけ通信用バンドルが記憶手段に記憶されている。具体的に説明すると、記憶手段には、第１通信プロトコル（例えば、ＥＣＨＯＮＥＴ）にて通信するためのバンドルと、第２通信プロトコル（例えば、ＥＣＨＯＮＥＴＬｉｔｅ）にて通信するためのバンドルと、第３通信プロトコル（例えば、ＥＣＨＯＮＥＴやＥＣＨＯＮＥＴＬｉｔｅ以外の通信プロトコル）が記憶されている。
【００２４】
そして、ホームネットワーク２１では、記憶手段に記憶された通信バンドルのうち、読み出されて実行される通信バンドルが通信相手に応じて切り替わるようになっている。これにより、ホームサーバ１０は、電気機器及びセンサと通信する際に採用する通信プロトコルを、通信相手の電気機器及びセンサが採用する通信プロトコルに応じて切り替えることが可能となる。なお、通信プロトコルを切り替えるとは、ある通信プロトコルにて伝送する電文（コマンド）を、他の通信プロトコルを用いる通信機器に伝送するにあたり当該他の通信プロトコルに併せて書き換えることと同義である。また、ホームサーバ１０が通信プロトコルを切り替えて通信する通信相手の電気機器には、本実施形態のデータロガー１１ｇが含まれる。
【００２５】
ここで、ホームサーバ１０におけるプログラム実行環境について説明すると、ホームサーバ１０は、ＯＳと、ＪＡＶＡ（登録商標）仮想マシン（以下、ＪＶＭ）と、ＯＳＧｉ（Ｏｐｅｎ Ｓｅｒｖｉｃｅｓ Ｇａｔａｗａｙ ｉｎｉｔｉａｔｉｖｅ）フレームワークと、ＯＳＧｉフレームワーク上で動作する各種バンドルを備える。ＯＳＧｉフレームワークは、ＪＶＭ上に構築され、ＯＳＧｉフレームワーク上で動作するバンドルのダウンロード、インストール、起動、停止などのライフサイクルを管理する。そして、ＯＳＧｉフレームワーク上で動作するバンドルについては、動的に入れ替えることが可能であり、また、複数のバンドルを並列的に実行することが可能である。
【００２６】
ここで、ＯＳＧｉフレームワーク上で動作するバンドルの中には、前述した第１通信プロトコルにて通信するための第１通信バンドルと、第２通信プロトコルにて通信するための第２通信バンドルと、第３通信プロトコルにて通信するための第３通信バンドルが含まれる。そして、ＯＳＧｉフレームワークが有する機能のうち、バンドルを動的に入れ替える機能により、ホームサーバ１０が通信する際の通信相手となる電気機器及びセンサの通信プロトコルに応じて、実行される通信バンドルが入れ替われるようになる。このような通信バンドルの入れ替えにより、ホームサーバ１０が採用する通信プロトコルが切り替わる。この結果、ホームサーバ１０は、通信プロトコルの異同に関わらず、住宅２内の電気機器及びセンサと通信することが可能となる。
【００２７】
さらに、ＯＳＧｉフレームワークに各通信バンドルが登録されると、各通信バンドルの機能を利用するためのインタフェースがサービスレジストリに登録される。ＯＳＧｉフレームワークは、これらのインタフェースを統合したものをＡＰＩ（Ａｐｐｌｉｃａｔｉｏｎ Ｐｒｏｇｒａｍ Ｉｎｔｅｒｆａｃｅ）として提供する。このＡＰＩを利用すれば、ユーザ側では、通信バンドルの違い、すなわち、電気機器及びセンサ間における通信プロトコルの差異を意識する必要が無くなる。これにより、つまり、電気機器及びセンサの制御をホームサーバ１０に対して要求するプログラムを開発する際、その開発者は、各電気機器及びセンサに関するオブジェクト規定さえ把握しておけば、一般的なＷｅｂ通信プログラムの開発手法を適用することが可能となる。
【００２８】
住宅２内の電気機器及びセンサとの通信をホームサーバ１０に対して要求する際に上記のＡＰＩを用いれば、そのリクエスト電文を通信プロトコルに応じた形式に整える必要がなく、比較的簡易的な電文となる。より詳しく説明すると、居住者がホームサーバ１０に対して電気機器及びセンサの制御を要求するにあたり、ディスプレイ１２からＨＴＴＰリクエスト、具体的には、電気機器及びセンサ制御の実行要求がホームサーバ１０に向けて送信される。一方、ホームサーバ１０は、ディスプレイ１２から上記のＨＴＴＰリクエストを受信すると、電気機器及びセンサと通信して当該電気機器及びセンサに対して制御信号を送信する。この結果、ホームサーバ１０は、上記のＨＴＴＰリクエストにおいて指定された制御ルールに則って、制御対象である電気機器及びセンサを制御するようになる。ここで、ホームサーバ１０が制御信号を送信する際に採用する通信プロトコルは、制御信号の送信先である電気機器及びセンサが採用する通信プロトコルに設定される。
【００２９】
また、ホームサーバ１０は、制御信号を受信した電気機器及びセンサと更に通信し、当該電気機器及びセンサの運転状態を示す応答信号を受信する。この際、ホームサーバ１０が採用する通信プロトコルは、応答信号の発信元である電気機器及びセンサが採用する通信プロトコルに設定される。
【００３０】
以上のようにホームネットワーク２１では、ホームサーバ１０と電気機器及びセンサとの間で双方向通信が実行され、具体的には、ホームサーバ１０から各電気機器及びセンサに制御信号が送信され、各電気機器及びセンサからホームサーバ１０に応答信号が送信される。
ディスプレイ１２は、住宅２内のキッチン、リビングルーム、洗面所等の各所に設置され、ホームサーバ１０との間の送受信機能及びタッチパネルを備えたディスプレイである。なお、ホームサーバ１０の表示装置６９をディスプレイ１２として用いてもよい。
【００３１】
電気機器２３とは、家庭内で使用される機器の総称であり冷蔵庫や電子レンジ等の家電製品やゲーム機、ＡＶ機器のほか、センサや、照明等の家庭内のあらゆる電気機器を含む。
本実施形態に係る電気機器の各々は、ホームサーバ１０に対して通信可能に接続されると、ホームサーバ１０側で自動認識されるようになっている。具体的に説明すると、本実施形態に係る電気機器のうち、エアコン、照明等の家電製品は、ＥＣＨＯＮＥＴ（エコーネット）コンソーシアムが提唱するＥＣＨＯＮＥＴ規格を採用した機器、若しくは同規格に準拠した規格を採用した機器となっている。このような電気機器は、ＥＣＨＯＮＥＴ規格により、ホームサーバ１０に対して通信可能に接続されるとホームサーバ１０側で自動的に認識されるようになり、さらに、住宅２内で使用される機器としてホームサーバ１０に登録されるようになっている。ここで、電気機器を自動認識して登録するための技術としては、プラグアンドプレイ（登録商標）技術等の公知技術が利用可能である。
【００３２】
分電盤３０は、住宅２全体での主幹電力供給回路である主幹回路３１と、主幹回路３１から分岐した複数の分岐回路３２とが設けられ、主幹回路３１及び各分岐回路３２には、公知の電力量計からなる分岐センサ１１ａが取り付けられている。
主幹回路３１及び各分岐回路３２が、住宅２内で使用されるエアコンや照明等の所定の電力消費機器と対応付けられているため、主幹回路３１及び各分岐回路３２を通る電流の電流計測値と電圧計測値から、流れた電流の電力量を個別計測することにより、主幹回路３１及び各分岐回路３２に対応した電力消費機器の消費電力量を計測できる。
【００３３】
住宅２内で使用される電力消費機器のうち、専用の電力供給回路が設けられておらず、分岐回路３２と対応付けられていない機器は、公知の電力計測タップ１１ｂに接続され、当該電力計測タップ１１ｂで消費電力量の計測が行われる。
太陽光発電装置４１は、公知の太陽光発電装置からなり、太陽光発電装置４１で発電された電力量を検知する公知の発電電力量センサ１１ｃが接続されている。
燃料電池４２は、公知の燃料電池からなり、燃料電池４２で発電された電力量を検知する公知の発電電力量センサ１１ｄが接続されている。
ガス用パルスセンサ１１ｅ、水道用パルスセンサ１１ｆは、それぞれ、住宅内の使用ガス量及び使用水道量を検知する公知のパルスセンサである。
【００３４】
分岐センサ１１ａ、電力計測タップ１１ｂ、発電電力量センサ１１ｃは消費電力量を示すデータを、ガス用パルスセンサ１１ｅは消費ガス量を示すデータを、水道用パルスセンサ１１ｆは消費水道量を示すデータを、計測結果として出力し、これらのデータはデータロガー１１ｇに一時的に蓄積されて、１分間等の所定時間毎に、データロガー１１ｇからホームサーバ１０に伝送される。
【００３５】
端末５１は、住宅２内のホームネットワーク２１に接続されたホームサーバ１０及びその他の電気機器等の動作確認等を行うために、住宅メーカの担当者が使用するコンピュータである。
端末５１のハード構成を図２に示す。端末５１は、データの演算・制御処理装置としてのＣＰＵ６１、記憶装置であるＲＡＭ６２、ＲＯＭ６３、ＨＤＤ６４及び記憶媒体装置６５等を備えている。ＣＰＵ６１は、ＲＯＭ６３又はＨＤＤ６４に記憶されているプログラムにしたがって各種の処理を実行する。ＲＡＭ６２には、ＣＰＵ６１が各種処理を実行する上で必要なデータなどが記憶される。
【００３６】
ＨＤＤ６４には、各センサ１１ａ〜ｆと、エアコンと、蓄電池４３との間の接続、動作確認と、名称や設置場所等のホームサーバ１０のデータベースへの初期登録を実行するチェックツールプログラムが格納されている。チェックツールプログラムで実行される処理は、図３のステップＳ７の処理であり、具体的には、図５、図７、図１１、図１２、図１４、図１６〜図１７のフローチャートの処理である。
また、ＨＤＤ６４には、各住宅２について、チェックツールプログラムでセンサ、エアコン、蓄電池４３の接続及び動作確認を完了したか否かの結果が格納された接続及び動作確認結果テーブルが格納されている。接続及び動作確認結果テーブルは、項目として、住宅２に固有な識別番号と、ルータ１３のＩＰアドレスと、センサの接続・動作確認が完了したか否かを示す完了フラグ、エアコンの接続・動作確認が完了したか否かを示す完了フラグ、蓄電池４３の接続・動作確認が完了したか否かを示す完了フラグを含む。完了フラグは、１が完了したことを示し、０が未完了を示す。
ＨＤＤ６４には、住宅２について、チェックツールプログラムで実行したセンサ、エアコン、蓄電池４３の接続及び動作確認状況のデータを含むファイルを格納する確認結果フォルダが格納されている。確認結果フォルダには、分岐センサ一覧画面１９０及びその他センサ一覧画面２００のデータを格納するセンサ確認結果ファイルと、エアコンリスト２３１のデータを格納するエアコン確認結果ファイルと、蓄電池リスト２５１のデータを格納する蓄電池確認結果ファイルとが格納され、それぞれ、住宅２に固有な識別番号と、センサ／エアコン／蓄電池の別を示す記号とを含むファイル名が付されている。
ＨＤＤ６４には、住宅２について、チェックツールプログラムで接続及び動作確認が完了したセンサ、エアコン、蓄電池４３の一覧とその動作確認結果等の情報を含む図１３の接続機器一覧ファイル２１４を格納する接続機器一覧フォルダが格納されている。接続機器一覧ファイル２１４には、住宅２に固有な識別情報を含むファイル名が付されている。
【００３７】
記憶媒体装置６５は、外付けハードディスク、ＣＤ−Ｒ、ＤＶＤ、メモリスティックなどにより構成され、受信したデータを記憶、読み出し等できるようになされている。
【００３８】
（住宅内センサネットワークの構築方法）
次に、住宅内のセンサネットワークの構築方法について説明する。
まず、図３を参照しながら、本実施形態の住宅内センサネットワークを構築する流れについて説明する。
まず、住宅メーカは、住宅内の設備構成やオプション設定等に基づいてセンサネットワークの仕様の検討を行う（ステップＳ１）。続いて、採用されたネットワーク構成の仕様および住宅内の設備構成等を基に図面を作成する（ステップＳ２）。
【００３９】
そして、作成された図面に基づいて、電気機器の設置工事を行う（ステップＳ３）。このステップでは、住宅メーカ及び電気工事業者は、住宅内で電気配線を行い、電気機器を設置する。このとき、ホームサーバ１０、ディスプレイ１２の設置も行う。
また、電気工事業者は、分電盤３０及び各センサ１１ａ〜ｆ、データロガー１１ｇの設置工事を行う（ステップＳ４）。
【００４０】
そして、ステップＳ３、ステップＳ４の住宅メーカによる電気機器、分電盤３０、各センサ１１ａ〜ｆ、データロガー１１ｇの設置工事が完了すると、住宅メーカの担当者は、電気機器の結線、配線、通電の有無、動作などを検査する（ステップＳ５）。
【００４１】
次いで、住宅メーカの担当者は、端末５１をルータ１３に接続し、各電気機器とホームサーバ１０との間の接続、動作確認と、すべての電気機器の名称や設置場所等のホームサーバ１０のデータベースへの初期登録を行う（ステップＳ６）。このステップでは、分岐センサ１１ａ、電力計測タップ１１ｂ、発電電力量センサ１１ｃ、発電電力量センサ１１ｄ、ガス用パルスセンサ１１ｅ、水道用パルスセンサ１１ｆとデータロガー１１ｇの接続、初期登録も行う。
本実施形態では、ホームサーバ１０をルータ１３を介してインターネットに接続し、住宅２から離れた場所から、端末５１をインターネット及びルータ１３を介してホームサーバ１０に接続する例について説明するが、担当者が端末５１を住宅２に持ち込んで、住宅２のインターネットに接続されていないスタンドアローンの状態であるホームサーバ１０に、端末５１を直接接続してもよい。
その後、端末５１をルータ１３に接続し、各センサ１１ａ〜ｆと、エアコンと、蓄電池４３との間の接続、動作確認と、名称や設置場所等のホームサーバ１０のデータベースへの初期登録を行う（ステップＳ７）。
ステップＳ７の、各センサ１１ａ〜ｆと、エアコンと、蓄電池４３との間の接続、動作確認、初期登録が完了すると、依頼主に対して、本実施形態の住宅内センサネットワークの操作説明を行い、その後、依頼主に住宅２を引き渡し（ステップＳ９）、住宅内センサネットワークの構築を完了する。
【００４２】
図３のステップＳ７の動作確認及び初期登録の処理について、具体的に説明する。動作確認及び初期登録の処理は、端末５１のＨＤＤ６４に格納されたチェックツールプログラムの処理であり、端末５１のＣＰＵ６１に制御される。
端末５１の画面上で不図示のチェックツールプログラムのアイコンがクリックされると、端末５１のＣＰＵ６１は、チェックツールプログラムを立ち上げ、端末５１とルータ１３との無線接続及び切断をするための無線接続ボタン１０１と、機器接続確認ボタン１０２と、無線接続解除ボタン１０３とを表示する図４のトップ画面１００を表示する。
【００４３】
トップ画面１００で、無線接続ボタン１０１がクリックされると、端末５１は、無線接続可能なルータを検索し、抽出されたルータの名称とＩＰアドレスを取得する。取得したルータの名称をルータリスト１１１にリスト表示して、ルータ接続画面１１０を表示する。
ルータ接続画面１１０は、端末５１で抽出された接続可能なルータをリスト表示し、ルータ１３に接続するための画面であり、接続可能なルータリスト１１１と、ルータリスト１１１で選択されたルータの画像を表示するルータ画像表示欄１１２と、ルータへの接続のためのパスワード入力欄１１３と、ルータに接続するための接続ボタン１１４と、ルータへの接続を中止する中止ボタン１１５と、を備えている。
【００４４】
ルータリスト１１１で、いずれかのルータ名がクリックされると、このルータ名のＩＰアドレスをキーとして、住宅メーカの不図示の管理サーバの顧客ルータ登録テーブルを検索し、該当するＩＰアドレスがヒットした場合には、顧客ルータ登録テーブルでこのＩＰアドレスに紐付けられたルータ画像名のデータを顧客ルータ画像記憶手段から取得して、該当するルータ画像を、ルータ画像表示欄１１２に表示する。
ルータ画像表示欄１１２にルータ画像が表示されると、担当者は、ルータリスト１１１で選択したルータが、住宅メーカのいずれかの顧客の住宅２に設置されたルータ１３であることを知ることができる。また、ルータ画像と、住宅２に設置されているルータ１３の写真又は実物の外観を見比べて、一致していれば、そのルータへの接続処理を進めることができる。
【００４５】
中止ボタン１１５がクリックされると、端末５１は、「ルータへの接続を中止します。よろしいですか？」というメッセージと、中止を実行するための「はい」ボタン、ルータ接続画面１１０に戻るための「いいえ」ボタンを表示する不図示の確認画面を表示する。
「はい」ボタンがクリックされると、ルータ接続画面１１０を閉じて、処理を終了する。「いいえ」ボタンがクリックされると、ルータ接続画面１１０に戻る。
【００４６】
ルータ接続画面１１０で、接続ボタン１１４がクリックされると、パスワード欄１１３に入力されたパスワードが、顧客ルータ登録テーブルに登録されたそのルータ１３のパスワードに一致するか確認し、一致しない場合には、「パスワードが間違っています。再度入力してください」というメッセージと、パスワード入力欄を表示するエラー画面を表示する。
パスワード欄１１３に入力されたパスワードが、顧客ルータ登録テーブルに登録されたそのルータ１３のパスワードに一致した場合には、端末５１をルータ１３に接続して、接続に成功した場合には、処理を終了する。
端末５１のルータ１３への接続に失敗した場合には、エラー画面１２０を表示して、処理を終了する。
【００４７】
担当者は、端末５１をルータ１３に接続すると、ホームサーバ１０及び各センサへの接続確認を行う。
トップ画面１００の機器接続確認ボタン１０２がクリックされると、端末５１は、図５のフローチャートの処理をスタートする。図５の処理は、端末５１のＣＰＵ６１に制御される。
ステップＳ１１で、端末５１のＩＰアドレスを取得する。ステップＳ１２で、ＩＰアドレスの取得に成功したか判定する。成功しなかった場合（ステップＳ１２：Ｎｏ）、ステップＳ１４で、図６の確認画面１３０の端末５１のＩＰアドレス表示欄に、「失敗」を表示し、図５のＡから図７のＡを介してステップＳ２４に進み、図６の確認画面１３０に、「失敗」があるか判定する。
ＩＰアドレスの取得に成功した場合（ステップＳ１２：Ｙｅｓ）、ステップＳ１３で、図６の確認画面１３０に、端末５１のＩＰアドレスを表示する。
【００４８】
次いで、ステップＳ１５で、ルータ１３からＩＰアドレスを取得する。ステップＳ１６で、ＩＰアドレスの取得に成功したか判定する。成功しなかった場合（ステップＳ１６：Ｎｏ）、ステップＳ１７で、図６の確認画面１３０のルータ１３のＩＰアドレス表示欄に、「失敗」を表示し、図５のＡから図７のＡを介してステップＳ２４に進み、図６の確認画面１３０に、「失敗」があるか判定する。
ＩＰアドレスの取得に成功した場合（ステップＳ１６：Ｙｅｓ）、ステップＳ１８で、図６の確認画面１３０に、ルータ１３のＩＰアドレスを表示する。
【００４９】
次いで、ステップＳ１９で、ホームサーバ１０からＩＰアドレスを取得する。ステップＳ２０で、ＩＰアドレスの取得に成功したか判定する。成功した場合（ステップＳ２０：Ｙｅｓ）、ステップＳ２１で、ホームサーバ１０に格納されたＨＥＭＳシステムの起動状態と、ＨＥＭＳシステムのソフトのバージョンの情報をホームサーバ１０から取得し、ステップＳ２２で、ホームサーバ１０のアドレスと共に図６の確認画面１３０に表示し、図５のＡから図７のＡを介してステップＳ２４に進み、図６の確認画面１３０に、「失敗」があるか判定する。
ＩＰアドレスの取得に成功しなかった場合（ステップＳ２０：Ｎｏ）、ステップＳ２３で、図６の確認画面１３０に、ホームサーバ１０のＩＰアドレス表示欄に、「失敗」を表示し、図５のＡから図７のＡを介してステップＳ２４に進み、図６の確認画面１３０に、「失敗」があるか判定する。
【００５０】
「失敗」がある場合（ステップＳ２４：Ｙｅｓ）、ステップＳ２５でエラー画面１４０を表示して、処理を終了する。
図６の確認画面１３０に、「失敗」がない場合（ステップＳ２４：Ｎｏ）、ステップＳ２６で、ルータ１３のＩＰアドレスをキーとして、端末５１のＨＤＤ６４の接続及び動作確認結果テーブルを参照し、センサ、エアコン、蓄電池４３の確認完了状況を取得する。
次いで、ステップＳ２７で、ステップＳ２６で取得したセンサ、エアコン、蓄電池４３の確認完了状況を用いて、図８の接続機器確認画面１５０を表示する。
接続機器確認画面１５０は、センサ、エアコン、蓄電池４３の接続・動作確認が完了しているかを示すと共に、完了していない場合には、各接続機器の接続・動作確認を開始するボタン１５１〜１５３を表示する画面であって、センサ、エアコン、蓄電池４３の動作確認ボタン１５１〜１５３、センサ、エアコン、蓄電池４３の動作確認の完了／未完了の別を表示する確認状態表示欄１５４〜１５６、接続及び動作確認処理の中断ボタン１５７、接続機器の接続及び動作確認が完了したときに有効化され、完了したことを確定させるための確定ボタン１５８を備えている。
【００５１】
次いで、ステップＳ２８で、センサの動作確認ボタン１５１がクリックされたか判定する。
クリックされた場合（ステップＳ２８：Ｙｅｓ）、ステップＳ２９で、いずれかのセンサとの通信エラーがあるか判定する。
いずれかのセンサとの通信エラーがある場合（ステップＳ２９：Ｙｅｓ）、ステップＳ３０でエラー画面１６０を表示して、ステップＳ３１で、中断ボタン１５７がクリックされたか判定する。
クリックされた場合（ステップＳ３１：Ｙｅｓ）、ステップＳ３２で、接続解除確認画面１０４を表示し、終了ボタン１０５がクリックされたことを条件に、その時点までに実行された接続及び動作確認結果の情報を、ファイルに格納し、その住宅２に固有な識別番号とセンサであることを示す記号とを含むファイル名を付して、端末５１のＨＤＤ６４の確認結果フォルダに保存し、処理を終了する。
【００５２】
中断ボタン１５７がクリックされない場合（ステップＳ３１：Ｎｏ）、ステップＳ３１で、中断ボタン１５７がクリックされたか判定する。つまり、ステップＳ３０でエラー画面１６０が表示されると、中断ボタン１５７がクリックされるまで、ステップＳ３１を繰り返す。
いずれかのセンサとの通信エラーがない場合（ステップＳ２９：Ｎｏ）、つまり、全センサについて通信に問題がない場合、ステップＳ３３で、図９のセンサデータ入力画面１７０を表示する。
図９のセンサデータ入力画面１７０は、分岐センサ数選択欄１７１、図３のステップＳ６で予め登録された発電電力量センサ１１ｃ、発電電力量センサ１１ｄ、ガス用パルスセンサ１１ｅ、水道用パルスセンサ１１ｆの有無の情報を自動表示するセンサ有無表示欄１７２、ガス用パルスセンサ１１ｅ、水道用パルスセンサ１１ｆの１パルスあたりの流量をデフォルトで表示し、担当者により入力可能とする流量表示欄１７３、各センサの通信確認を実行するための「次へ」ボタン１７４を備えている。
【００５３】
ステップＳ３４で、「次へ」ボタン１７４がクリックされたか判定する。クリックされていない場合（ステップＳ３４：Ｎｏ）、ステップＳ３４で、「次へ」ボタン１７４がクリックされたか判定する。つまり、「次へ」ボタン１７４がクリックされるまで、ステップＳ３４を繰り返す。
「次へ」ボタン１７４がクリックされた場合（ステップＳ３４：Ｙｅｓ）、ステップＳ３５で、センサデータ入力画面１７０に入力漏れがあるか判定する。入力漏れがある場合（ステップＳ３５：Ｙｅｓ）、ステップＳ３６でエラー画面１８１を表示して、ステップＳ３４で、「次へ」ボタン１７４がクリックされたか判定する。
センサデータ入力画面１７０に入力漏れがない場合（ステップＳ３５：Ｎｏ）、ステップＳ３７で、センサとの通信エラーがあるか判定する。ステップＳ３７の判定は、分岐センサ１１ａ、電力計測タップ１１ｂ、発電電力量センサ１１ｃ、発電電力量センサ１１ｄ、ガス用パルスセンサ１１ｅ、水道用パルスセンサ１１ｆのデータロガー１１ｇへの初期登録が、ステップＳ６ですでに行われているため、データロガー１１ｇとの間の通信が正常かを判定する。通信エラーがある場合（ステップＳ３７：Ｙｅｓ）、ステップＳ３８で、エラー画面１８２を表示して、ステップＳ３４で、「次へ」ボタン１７４がクリックされたか判定する。
【００５４】
ステップＳ３７で、センサとの通信エラーがない場合（ステップＳ３７：Ｎｏ）、ステップＳ３９で、センサの動作確認と設置場所の登録を行う。
このステップでは、まず、分電盤３０に設置された分岐センサ１１ａについて、順次接続して動作確認を行い、その結果を図１０の分岐センサ一覧画面１９０に表示する。また、各分岐センサ１１ａに対応する分岐回路３２接続先の設置場所が、分岐センサ一覧画面１９０で担当者によって手入力される。なお、本実施形態では、設置場所を手入力しているが、住宅２の施工図面のデータから設置場所を自動入力してもよい。例えば、施工図面のデータに、各機器、センサの機器ＩＤを予め登録しておき、自動で取得した分岐センサ１１ａの機器ＩＤをキーとして施工図面のデータを検索し、設置場所のデータを取得して、設置場所の欄に自動入力する。
分岐センサ一覧画面１９０で、すべての分岐センサ１１ａの動作確認が終了し、設置場所が登録されると、「次へ」ボタン１９１を有効化する。「次へ」ボタン１９１がクリックされると、その他センサ一覧画面２００を表示し、その他のセンサについても、動作確認を行い、その結果を表示する。
次いで、図７のＢから図１１のＢを介してステップＳ４０に進み、動作確認及び設置場所登録中に問題が発生したか判定する。問題が発生した場合（ステップＳ４０：Ｙｅｓ）、ステップＳ４１で、動作確認及び設置場所登録中に問題が発生した旨を表示する不図示のエラー画面を表示し、ステップＳ４２で、中断ボタン１９２又は２０２がクリックされたか判定する。
【００５５】
クリックされた場合（ステップＳ４２：Ｙｅｓ）、ステップＳ４３で、接続解除確認画面１０４を表示し、終了ボタン１０５がクリックされたことを条件に、その時点までに実行された接続及び動作確認の結果である分岐センサ一覧画面１９０及びその他センサ一覧画面２００のデータを、ファイルに格納し、その住宅２に固有な識別番号とセンサであることを示す記号とを含むファイル名を付して、端末５１のＨＤＤ６４の確認結果フォルダに保存し、処理を終了する。
中断ボタン１９２又は２０２がクリックされない場合（ステップＳ４２：Ｎｏ）、ステップＳ４２で、中断ボタン１９２又は２０２がクリックされたか判定する。つまり、中断ボタン１９２又は２０２がクリックされるまで、ステップＳ４２を繰り返す。
【００５６】
いずれの分岐センサ１１ａ及びその他のセンサについても、動作確認及び設置場所登録中に問題が発生していない場合（ステップＳ４０：Ｎｏ）、ステップＳ４４で、完了ボタン２０１を表示する。次いで、ステップＳ４５で、完了ボタン２０１がクリックされたか判定する。
クリックされない場合（ステップＳ４４：Ｎｏ）、ステップＳ４４で、完了ボタン２０１がクリックされたか判定する。つまり、完了ボタン２０１がクリックされるまで、ステップＳ４４を繰り返す。
完了ボタン２０１がクリックされた場合（ステップＳ４４：Ｙｅｓ）、ステップＳ４６で、端末５１のＨＤＤ６４に格納された接続及び動作確認結果テーブルの、そのルータ１３のＩＰアドレスの付されたレコードについて、センサの接続及び動作確認完了フラグを１にして、センサの確認状況を完了にセットする。また、接続及び動作確認の結果である分岐センサ一覧画面１９０及びその他センサ一覧画面２００のデータを、ファイルに格納し、その住宅２に固有な識別番号とセンサであることを示す記号とを含むファイル名を付して、端末５１のＨＤＤ６４の確認結果フォルダに保存する。
【００５７】
次いで、ステップＳ４７で、ルータ１３のＩＰアドレスをキーとして、接続及び動作確認結果テーブルを参照し、センサ、エアコン、蓄電池４３のすべてについて、接続及び動作確認完了フラグが「完了」（１）にセットされているか判定する。
セットされていない場合（ステップＳ４７：Ｎｏ）、図１１のＣから図７のＣを経てステップＳ２６に進み、ルータ１３のＩＰアドレスをキーとして、端末５１のＨＤＤ６４の接続及び動作確認結果テーブルを参照し、センサ、エアコン、蓄電池４３の確認完了状況を取得する。
センサ、エアコン、蓄電池４３のすべてについて、接続及び動作確認完了フラグが「完了」（１）にセットされている場合（ステップＳ４７：Ｙｅｓ）、図１１のＦから図１２のＦを経てステップＳ４８に進み、図１３のように、接続機器確認画面１５０のセンサ確認状態表示欄１５４、エアコン確認状態表示欄１５５、蓄電池確認状態表示欄１５６の表示をすべて「完了」にすると同時に、完了ボタン１５８を有効化する。
【００５８】
次いで、ステップＳ４９で、完了ボタン１５８がクリックされたか判定する。クリックされない場合（ステップＳ４９：Ｎｏ）、ステップＳ５０で、中断ボタン１５７がクリックされたか判定する。
クリックされた場合（ステップＳ５０：Ｙｅｓ）、ステップＳ５１で、接続解除確認画面１０４を表示し、終了ボタン１０５がクリックされたことを条件に、その時点までに実行された接続及び動作確認結果の情報を、ファイルに格納し、その住宅２に固有な識別番号を含むファイル名を付して、端末５１のＨＤＤ６４の確認結果フォルダに保存し、処理を終了する。
【００５９】
中断ボタン１５７がクリックされない場合（ステップＳ５０：Ｎｏ）、ステップＳ４９で、完了ボタン１５８がクリックされたか判定する。つまり、ステップＳ４８で完了ボタン１５８が有効化されると、完了ボタン１５８か中断ボタン１５７がクリックされるまで、ステップＳ４９とステップＳ５０を繰り返す。
完了ボタン１５８がクリックされた場合（ステップＳ４９：Ｙｅｓ）、ステップＳ５２で、動作確認結果画面２１０を表示する。
【００６０】
動作確認結果画面２１０は、各センサ、エアコン及び蓄電池４３の名称と、それらの設置場所及び通信確認結果を示す通信確認結果リスト２１１と、通信確認結果リスト２１１中に、通信確認結果が「失敗」であるものが含まれている場合に、再度通信確認を実行するための再確認ボタン２１２と、通信確認結果リスト２１１中に、通信確認結果が「失敗」であるものが含まれていない場合に有効化される保存ボタン２１３とを含んでいる。
ステップＳ５２では、端末５１のＨＤＤ６４の確認結果フォルダに含まれるファイルを、その住宅２に固有な識別番号をキーとして検索し、その住宅２で実行された接続及び動作確認結果を示すファイルを抽出する。このファイル中で、通信確認結果が「失敗」のものが含まれているか判定し、含まれている場合には、再確認ボタン２１２を有効化し、含まれていない場合には、保存ボタン２１３を有効化して、図１３の動作確認結果画面２１０を表示する。
【００６１】
次いで、ステップＳ５３で、保存ボタン２１３がクリックされたか判定する。クリックされた場合（ステップＳ５３：Ｙｅｓ）、ステップＳ５４で、通信確認結果リスト２１１の内容を、その住宅２に固有な識別番号を含むファイル名を付して、接続機器一覧ファイル２１４として、端末５１のＨＤＤ６４の接続機器一覧フォルダに保存し、処理を終了する。
保存ボタン２１３がクリックされない場合（ステップＳ５３：Ｎｏ）、ステップＳ５５で、再確認ボタン２１２がクリックされたか判定する。クリックされない場合（ステップＳ５５：Ｎｏ）、ステップＳ５３で、保存ボタン２１３がクリックされたか判定する。つまり、再確認ボタン２１２又は保存ボタン２１３がクリックされるまで、ステップＳ５３とステップＳ５５を繰り返す。
【００６２】
再確認ボタン２１２がクリックされた場合（ステップＳ５５：Ｙｅｓ）、図１２のＣから図７のＣを経てステップＳ２６に進み、ルータ１３のＩＰアドレスをキーとして、端末５１のＨＤＤ６４の接続及び動作確認結果テーブルを参照し、センサ、エアコン、蓄電池４３の確認完了状況を取得する。
【００６３】
図７のステップＳ２８で、センサの動作確認ボタン１５１がクリックされていない場合（ステップＳ２８：Ｎｏ）、図７のＤから図１４のＤを経てステップＳ５６に進み、エアコンの動作確認ボタン１５２がクリックされたか判定する。クリックされた場合（ステップＳ５６：Ｙｅｓ）、ホームネットワーク２１に接続されているエアコンをすべて検出し、ステップＳ５７で、検出したエアコンをリスト表示する図１５のエアコン一覧画面２３０を表示する。ステップＳ５７では、エアコン一覧画面２３０のエアコンリスト２３１の表示項目のうち、設置場所、除湿機能有無、省エネ空調機能の設定以外の項目を自動表示する。
設置場所、除湿機能有無、省エネ空調機能は、担当者によって手入力される。なお、本実施形態では、これらの項目を手入力しているが、住宅２の施工図面のデータから自動入力してもよい。例えば、施工図面のデータに、各機器、センサの機器ＩＤを予め登録しておき、自動で取得したエアコンの機器ＩＤをキーとして施工図面のデータを検索し、設置場所、除湿機能有無、省エネ空調機能のデータを取得して、これらの欄に自動入力する。
【００６４】
次いで、ステップＳ５８で、動作確認及び設置場所登録中に問題が発生したか判定する。動作確認及び設置場所登録中に問題が発生した場合（ステップＳ５８：Ｙｅｓ）、エアコンの接続及び動作確認は完了できないものとして、ステップＳ５９で、中断ボタン２３２がクリックされたか判定する。クリックされていない場合（ステップＳ５９：Ｎｏ）、再度ステップＳ５９で、中断ボタン２３２がクリックされたか判定する。つまり、中断ボタン２３２がクリックされるまで、ステップＳ５９を繰り返す。
中断ボタン２３２がクリックされた場合（ステップＳ５９：Ｙｅｓ）、ステップＳ６０で、接続解除確認画面１０４を表示し、終了ボタン１０５がクリックされたことを条件に、その時点までに実行された接続及び動作確認結果の情報であるエアコンリスト２３１のデータを、ファイルに格納し、その住宅２に固有な識別番号を含むファイル名を付して、端末５１のＨＤＤ６４の確認結果フォルダに保存し、処理を終了する。
【００６５】
動作確認及び設置場所登録中に問題が発生していない場合（ステップＳ５８：Ｎｏ）、エアコンについて、すべて動作確認が完了したものとして、ステップＳ６１で、完了ボタン２３３を有効化する。
次いで、ステップＳ６２で、完了ボタン２３３がクリックされたか判定する。クリックされていない場合（ステップＳ６２：Ｎｏ）、再度ステップＳ６２で、完了ボタン２３３がクリックされたか判定する。つまり、完了ボタン２３３がクリックされるまで、ステップＳ６２を繰り返す。
完了ボタン２３３がクリックされた場合（ステップＳ６２：Ｙｅｓ）、ステップＳ６３で、端末５１のＨＤＤ６４に格納された接続及び動作確認結果テーブルの、そのルータ１３のＩＰアドレスが付されたレコードについて、エアコンの接続及び動作確認完了フラグを１にして、エアコンの確認状況を完了にセットする。また、接続及び動作確認の結果であるエアコンリスト２３１のデータを、ファイルに格納し、その住宅２に固有な識別番号を含むファイル名を付して、端末５１のＨＤＤ６４の確認結果フォルダに保存する。
【００６６】
次いで、ステップＳ６４で、ルータ１３のＩＰアドレスをキーとして、接続及び動作確認結果テーブルを参照し、センサ、エアコン、蓄電池４３のすべてについて、接続及び動作確認完了フラグが「完了」（１）にセットされているか判定する。セットされていない場合（ステップＳ６４：Ｎｏ）、図１４のＣから図７のＣを経てステップＳ２６に進み、ルータ１３のＩＰアドレスをキーとして、端末５１のＨＤＤ６４の接続及び動作確認結果テーブルを参照し、センサ、エアコン、蓄電池４３の確認完了状況を取得する。
センサ、エアコン、蓄電池４３のすべてについて、接続及び動作確認完了フラグが「完了」（１）にセットされている場合（ステップＳ６４：Ｙｅｓ）、図１４のＦから図１２のＦを経てステップＳ４８に進み、図１３のように、接続機器確認画面１５０のセンサ確認状態表示欄１５４、エアコン確認状態表示欄１５５、蓄電池確認状態表示欄１５６の表示をすべて「完了」にすると同時に、完了ボタン１５８を有効化する。
【００６７】
図１４のステップＳ５６において、図１５のエアコンの動作確認ボタン１５２がクリックされていない場合（ステップＳ５６：Ｎｏ）、図１４のＥから図１６のＥを経てステップＳ６５に進み、接続機器確認画面１５０の蓄電池４３の動作確認ボタン１５３がクリックされたか判定する。
クリックされた場合（ステップＳ６５：Ｙｅｓ）、ホームネットワーク２１に接続されている蓄電池４３を検出し、ステップＳ６６で、検出した蓄電池４３をリスト表示する図１８の蓄電池一覧画面２５０を表示する。ステップＳ６６では、蓄電池一覧画面２５０の蓄電池リスト２５１の表示項目のうち、設置場所、名称以外の項目を自動表示する。
設置場所、名称は、担当者によって手入力される。なお、本実施形態では、これらの項目を手入力しているが、住宅２の施工図面のデータから自動入力してもよい。例えば、施工図面のデータに、各機器、センサの機器ＩＤを予め登録しておき、自動で取得した各機器、センサの機器ＩＤをキーとして施工図面のデータを検索し、設置場所、名称のデータを取得して、これらの欄に自動入力する。
【００６８】
次いで、ステップＳ６７で、動作確認及び設置場所登録中に問題が発生したか判定する。動作確認及び設置場所登録中に問題が発生していない場合（ステップＳ６７：Ｎｏ）、蓄電池４３について、すべて動作確認が完了したものとして、ステップＳ７２で、完了ボタン２３３を有効化する。
動作確認及び設置場所登録中に問題が発生した場合（ステップＳ６７：Ｙｅｓ）、図１６のＩから図１７のＩを経てステップＳ６８に進み、エラー画面２６０を表示する。次いで、ステップＳ６９で、中断ボタン２５２がクリックされたか判定する。
クリックされた場合（ステップＳ６９：Ｙｅｓ）、ステップＳ７０で、接続解除確認画面１０４を表示し、終了ボタン１０５がクリックされたことを条件に、その時点までに実行された接続及び動作確認結果の情報である蓄電池リスト２５１のデータを、ファイルに格納し、その住宅２に固有な識別番号を含むファイル名を付して、端末５１のＨＤＤ６４の確認結果フォルダに保存し、処理を終了する。
【００６９】
中断ボタン２５２がクリックされていない場合（ステップＳ６９：Ｎｏ）、ステップＳ７１で、動作確認及び設置場所登録中に問題があるか判定する。ある場合（ステップＳ７１：Ｙｅｓ）、問題が回復していないものとして、ステップＳ６９で、中断ボタン２３２がクリックされたか判定する。つまり、中断ボタン２５２がクリックされるか、問題が回復されるまで、ステップＳ６９とステップＳ７１を繰り返す。
【００７０】
動作確認及び設置場所登録中に問題がない場合（ステップＳ７１：Ｎｏ）、問題が回復したものとして、図１７のＪから図１６のＪを経てステップＳ７２に進み、完了ボタン２５３を有効化する。
次いで、ステップＳ７３で、完了ボタン２５３がクリックされたか判定する。クリックされていない場合（ステップＳ７３：Ｎｏ）、再度ステップＳ７３で、完了ボタン２５３がクリックされたか判定する。つまり、完了ボタン２５３がクリックされるまで、ステップＳ７３を繰り返す。
完了ボタン２５３がクリックされた場合（ステップＳ７３：Ｙｅｓ）、ステップＳ７４で、端末５１のＨＤＤ６４に格納された接続及び動作確認結果テーブルの、そのルータ１３のＩＰアドレスが付されたレコードについて、蓄電池４３の接続及び動作確認完了フラグを１にして、蓄電池４３の確認状況を完了にセットする。また、接続及び動作確認の結果である蓄電池リスト２５１のデータを、ファイルに格納し、その住宅２に固有な識別番号を含むファイル名を付して、端末５１のＨＤＤ６４の確認結果フォルダに保存する。
【００７１】
次いで、ステップＳ７４で、ルータ１３のＩＰアドレスをキーとして、接続及び動作確認結果テーブルを参照し、センサ、エアコン、蓄電池４３のすべてについて、接続及び動作確認完了フラグが「完了」（１）にセットされているか判定する。
セットされていない場合（ステップＳ７５：Ｎｏ）、図１６のＣから図７のＣを経てステップＳ２６に進み、ルータ１３のＩＰアドレスをキーとして、端末５１のＨＤＤ６４の接続及び動作確認結果テーブルを参照し、センサ、エアコン、蓄電池４３の確認完了状況を取得する。
センサ、エアコン、蓄電池４３のすべてについて、接続及び動作確認完了フラグが「完了」（１）にセットされている場合（ステップＳ７５：Ｙｅｓ）、図１６のＦから図１２のＦを経てステップＳ４８に進み、図１３のように、接続機器確認画面１５０のセンサ確認状態表示欄１５４、エアコン確認状態表示欄１５５、蓄電池確認状態表示欄１５６の表示をすべて「完了」にすると同時に、完了ボタン１５８を有効化する。
【００７２】
図１６のステップＳ６５で蓄電池４３の動作確認ボタン１５３がクリックされていない場合（ステップＳ６５：Ｎｏ）、ステップＳ７６で、中断ボタン１５７がクリックされたか判定する。クリックされた場合（ステップＳ７６：Ｙｅｓ）、ステップＳ７７で、接続解除確認画面１０４を表示し、終了ボタン１０５がクリックされたことを条件に、その時点までに実行された接続及び動作確認結果の情報を、ファイルに格納し、その住宅２に固有な識別番号を含むファイル名を付して、端末５１のＨＤＤ６４の確認結果フォルダに保存し、処理を終了する。
中断ボタン１５７がクリックされていない場合（ステップＳ７６：Ｎｏ）、ステップＳ７８で、完了ボタンがクリックされたか判定する。クリックされていない場合（ステップＳ７８：Ｎｏ）、図１６のＨから図７のＨを経てステップＳ２８に進み、センサボタン１５１がクリックされたか判定する。
完了ボタンがクリックされた場合（ステップＳ７８：Ｙｅｓ）、図１６のＧから図１２のＧを経てステップＳ５２に進み、動作確認結果画面２１０を表示する。
【００７３】
トップ画面１００の無線接続ボタン１０１をクリック後に、ルータ１３への接続処理及び機器接続確認ボタン１０２をクリック後に、各センサ、エアコン、蓄電池４３への接続確認処理を行っている間のいずれのタイミングにおいても、トップ画面１００の無線接続解除ボタン１０３をクリックして、接続解除確認画面１０４により、接続を解除可能である。
無線接続解除ボタン１０３がクリックされると、端末５１は、接続中の無線ＩＤを表示した接続解除確認画面１０４を表示する。
キャンセルボタン１０６がクリックされたか判定し、キャンセルボタン１０６がクリックされた場合には、接続解除確認画面１０４を閉じる。
キャンセルボタン１０６がクリックされない場合は、終了ボタン１０５がクリックされたか判定する。終了ボタン１０５がクリックされた場合、接続中の無線ＩＤが、端末５１が、担当者の職場で通常使用している会社無線ＩＤと一致するか判定する。一致しない場合には、無線接続を解除し、処理を終了する。
無線ＩＤが、端末５１が、担当者の職場で通常使用している会社無線ＩＤと一致する場合には、「接続解除しようとしている無線接続のＩＤは、会社無線ＩＤと一致しています。接続解除を中止します。」との警告画面を表示し、処理を終了する。
【００７４】
図１２のステップＳ５４で、端末５１のＨＤＤ６４の接続機器一覧フォルダに保存された接続機器一覧ファイル２１４は、ホームサーバ１０の不図示の記憶手段に自動で登録され、ＨＥＭＳの構築のために利用される。また、接続機器一覧ファイル２１４は、端末５１から住宅メーカの不図示の管理サーバの顧客データフォルダに保存され、住宅２の履歴情報として管理される。
【符号の説明】
【００７５】
１  インターネット
２  住宅
１０  ホームサーバ
１１ａ  分岐センサ
１１ｂ  電力計測タップ
１１ｃ、１１ｄ  発電電力量センサ
１１ｅ  ガス用パルスセンサ
１１ｆ  水道用パルスセンサ
１１ｇ  データロガー
１２  ディスプレイ
１３  ルータ
２１  ホームネットワーク
２３  電気機器
３０  分電盤
３１  主幹回路
３２  分岐回路
４１  太陽光発電装置
４２  燃料電池
４３  蓄電池
５１  端末コンピュータ
【図１】
2014049849.tif 000003
【図２】
2014049849.tif 000004
【図３】
2014049849.tif 000005
【図４】
2014049849.tif 000006
【図５】
2014049849.tif 000007
【図６】
2014049849.tif 000008
【図７】
2014049849.tif 000009
【図８】
2014049849.tif 000010
【図９】
2014049849.tif 000011
【図１０】
2014049849.tif 000012
【図１１】
2014049849.tif 000013
【図１２】
2014049849.tif 000014
【図１３】
2014049849.tif 000015
【図１４】
2014049849.tif 000016
【図１５】
2014049849.tif 000017
【図１６】
2014049849.tif 000018
【図１７】
2014049849.tif 000019
【図１８】
2014049849.tif 000020
【手続補正書】
【提出日】平成27年4月6日(2015.4.6)
【手続補正１】
【補正対象書類名】特許請求の範囲
【補正対象項目名】請求項４
【補正方法】変更
【補正の内容】
【請求項４】
前記エネルギー量を計測するセンサは、前記建物の分電盤に設けられた回路に取付けられた電力量計と、水道の使用量を計測するパルスセンサと、ガスの使用量を測定するパルスセンサと、発電装置の発電電力量を計測する発電電力量センサと、を含む群から選択されたセンサであることを特徴とする請求項１乃至３いずれか記載の建物内センサネットワークの構築装置。
【手続補正２】
【補正対象書類名】明細書
【補正対象項目名】００１２
【補正方法】変更
【補正の内容】
【００１２】
また前記ネットワークの対象となるすべての前記設備機器及び前記センサに接続できたことを条件として、前記設備機器及び前記センサと、該設備機器及びセンサの前記設置場所とのリストを保存するための保存ボタンを表示する手段と、前記保存ボタンがクリックされたときに、前記リストを格納した電子ファイルを、該当する前記建物を識別する識別情報を含むファイル名を付して、接続機器一覧記憶手段に格納する手段と、を備えていてもよい。
このように構成しているため、電子ファイルに格納されたリストに登録された設備機器及びセンサの設置場所の情報を、建物内で使用される電気機器を制御する所謂ホームエネルギーマネジメントシステム（ＨＥＭＳ）に用いることが可能となる。
【手続補正３】
【補正対象書類名】明細書
【補正対象項目名】００１３
【補正方法】変更
【補正の内容】
【００１３】
また、前記エネルギー量を計測するセンサは、前記建物の分電盤に設けられた回路に取付けられた電力量計と、水道の使用量を計測するパルスセンサと、ガスの使用量を測定するパルスセンサと、発電装置の発電電力量を計測する発電電力量センサと、を含む群から選択されたセンサであってもよい。
このように構成しているため、建物に設けられる種々のセンサを網羅した建物内センサネットワークを構築できる。
【手続補正４】
【補正対象書類名】明細書
【補正対象項目名】００２１
【補正方法】変更
【補正の内容】
【００２１】
ホームサーバ１０は、ホームネットワーク２１内の情報を管理する装置であって、ホームネットワーク２１に接続されたディスプレイ１２、分電盤３０、太陽光発電装置４１、電気機器等の機器のアドレスを管理すると共に、これらの機器と通信を行い、機器の状態などの情報を取得し、機器の状態を制御する機器管理機能を有する。ホームサーバ１０は、サーバコンピュータ、パーソナルコンピュータや、セットトップボックス、他の既存の機器に組み込まれるなどの形態で実現される。ホームサーバ１０のハード構成は、端末５１と同様であるため、説明を省略する。
【手続補正５】
【補正対象書類名】明細書
【補正対象項目名】００２２
【補正方法】変更
【補正の内容】
【００２２】
ところで、一般的に、ＨＥＭＳが搭載された住宅２では、共通の通信プロトコル（通信方式や通信規格と同義）を採用した電気機器を使用することが推奨されており、例えば、ＥＣＨＯＮＥＴコンソーシアムが提唱する通信プロトコルを採用した機器に統一されていることが望まれている。一方、ＥＣＨＯＮＥＴコンソーシアムが提唱するプロトコルとしては、ＥＣＨＯＮＥＴ（登録商標）と、その後継規格であるＥＣＨＯＮＥＴＬｉｔｅ（登録商標）とがあり、住宅２内の電気機器において両プロトコルが混在する場合がある。また、ユーザが購入する電気機器の中には、ＥＣＨＯＮＥＴやＥＣＨＯＮＥＴＬｉｔｅ以外の通信プロトコルの機器が含まれる場合もある。
【手続補正６】
【補正対象書類名】明細書
【補正対象項目名】００２３
【補正方法】変更
【補正の内容】
【００２３】
そして、ホームネットワーク２１では、住宅２で使用される複数の電気機器及びセンサ中、互いに異なる通信プロトコルにて通信する機器が存在する。このため、ホームサーバ１０の記憶手段には、ホームサーバ１０が住宅２の通信相手と通信するための通信用バンドルが通信プロトコル別に記憶されている。つまり、住宅２内の電気機器及びセンサが採用する通信プロトコルの種類数だけ通信用バンドルが記憶手段に記憶されている。具体的に説明すると、記憶手段には、第１通信プロトコル（例えば、ＥＣＨＯＮＥＴ）にて通信するためのバンドルと、第２通信プロトコル（例えば、ＥＣＨＯＮＥＴＬｉｔｅ）にて通信するためのバンドルと、第３通信プロトコル（例えば、ＥＣＨＯＮＥＴやＥＣＨＯＮＥＴＬｉｔｅ以外の通信プロトコル）にて通信するためのバンドルが記憶されている。
【手続補正７】
【補正対象書類名】明細書
【補正対象項目名】００３１
【補正方法】変更
【補正の内容】
【００３１】
電気機器とは、家庭内で使用される機器の総称であり冷蔵庫や電子レンジ等の家電製品やゲーム機、ＡＶ機器のほか、センサや、照明等の家庭内のあらゆる電気機器を含む。
本実施形態に係る電気機器の各々は、ホームサーバ１０に対して通信可能に接続されると、ホームサーバ１０側で自動認識されるようになっている。具体的に説明すると、本実施形態に係る電気機器のうち、エアコン、照明等の家電製品は、ＥＣＨＯＮＥＴ（エコーネット）コンソーシアムが提唱するＥＣＨＯＮＥＴ規格を採用した機器、若しくは同規格に準拠した規格を採用した機器となっている。このような電気機器は、ＥＣＨＯＮＥＴ規格により、ホームサーバ１０に対して通信可能に接続されるとホームサーバ１０側で自動的に認識されるようになり、さらに、住宅２内で使用される機器としてホームサーバ１０に登録されるようになっている。ここで、電気機器を自動認識して登録するための技術としては、プラグアンドプレイ（登録商標）技術等の公知技術が利用可能である。
【手続補正８】
【補正対象書類名】明細書
【補正対象項目名】００３４
【補正方法】変更
【補正の内容】
【００３４】
分岐センサ１１ａ、電力計測タップ１１ｂは消費電力量を示すデータを、ガス用パルスセンサ１１ｅは消費ガス量を示すデータを、水道用パルスセンサ１１ｆは消費水道量を示すデータを、計測結果として出力し、これらのデータはデータロガー１１ｇに一時的に蓄積されて、１分間等の所定時間毎に、データロガー１１ｇからホームサーバ１０に伝送される。
【手続補正９】
【補正対象書類名】明細書
【補正対象項目名】００４９
【補正方法】変更
【補正の内容】
【００４９】
次いで、ステップＳ１９で、ホームサーバ１０からＩＰアドレスを取得する。ステップＳ２０で、ＩＰアドレスの取得に成功したか判定する。成功した場合（ステップＳ２０：Ｙｅｓ）、ステップＳ２１で、ホームサーバ１０に格納されたＨＥＭＳの起動状態と、ＨＥＭＳのソフトのバージョンの情報をホームサーバ１０から取得し、ステップＳ２２で、ホームサーバ１０のアドレスと共に図６の確認画面１３０に表示し、図５のＡから図７のＡを介してステップＳ２４に進み、図６の確認画面１３０に、「失敗」があるか判定する。
ＩＰアドレスの取得に成功しなかった場合（ステップＳ２０：Ｎｏ）、ステップＳ２３で、図６の確認画面１３０に、ホームサーバ１０のＩＰアドレス表示欄に、「失敗」を表示し、図５のＡから図７のＡを介してステップＳ２４に進み、図６の確認画面１３０に、「失敗」があるか判定する。
【手続補正１０】
【補正対象書類名】明細書
【補正対象項目名】００５６
【補正方法】変更
【補正の内容】
【００５６】
いずれの分岐センサ１１ａ及びその他のセンサについても、動作確認及び設置場所登録中に問題が発生していない場合（ステップＳ４０：Ｎｏ）、ステップＳ４４で、完了ボタン２０１を表示する。次いで、ステップＳ４５で、完了ボタン２０１がクリックされたか判定する。
クリックされない場合（ステップＳ４５：Ｎｏ）、ステップＳ４５で、完了ボタン２０１がクリックされたか判定する。つまり、完了ボタン２０１がクリックされるまで、ステップＳ４５を繰り返す。
完了ボタン２０１がクリックされた場合（ステップＳ４５：Ｙｅｓ）、ステップＳ４６で、端末５１のＨＤＤ６４に格納された接続及び動作確認結果テーブルの、そのルータ１３のＩＰアドレスの付されたレコードについて、センサの接続及び動作確認完了フラグを１にして、センサの確認状況を完了にセットする。また、接続及び動作確認の結果である分岐センサ一覧画面１９０及びその他センサ一覧画面２００のデータを、ファイルに格納し、その住宅２に固有な識別番号とセンサであることを示す記号とを含むファイル名を付して、端末５１のＨＤＤ６４の確認結果フォルダに保存する。
【手続補正１１】
【補正対象書類名】明細書
【補正対象項目名】００６８
【補正方法】変更
【補正の内容】
【００６８】
次いで、ステップＳ６７で、動作確認及び設置場所登録中に問題が発生したか判定する。動作確認及び設置場所登録中に問題が発生していない場合（ステップＳ６７：Ｎｏ）、蓄電池４３について、すべて動作確認が完了したものとして、ステップＳ７２で、完了ボタン２５３を有効化する。
動作確認及び設置場所登録中に問題が発生した場合（ステップＳ６７：Ｙｅｓ）、図１６のＩから図１７のＩを経てステップＳ６８に進み、エラー画面２６０を表示する。次いで、ステップＳ６９で、中断ボタン２５２がクリックされたか判定する。
クリックされた場合（ステップＳ６９：Ｙｅｓ）、ステップＳ７０で、接続解除確認画面１０４を表示し、終了ボタン１０５がクリックされたことを条件に、その時点までに実行された接続及び動作確認結果の情報である蓄電池リスト２５１のデータを、ファイルに格納し、その住宅２に固有な識別番号を含むファイル名を付して、端末５１のＨＤＤ６４の確認結果フォルダに保存し、処理を終了する。
【手続補正１２】
【補正対象書類名】明細書
【補正対象項目名】００７２
【補正方法】変更
【補正の内容】
【００７２】
図１６のステップＳ６５で蓄電池４３の動作確認ボタン１５３がクリックされていない場合（ステップＳ６５：Ｎｏ）、ステップＳ７６で、中断ボタン１５７がクリックされたか判定する。クリックされた場合（ステップＳ７６：Ｙｅｓ）、ステップＳ７７で、接続解除確認画面１０４を表示し、終了ボタン１０５がクリックされたことを条件に、その時点までに実行された接続及び動作確認結果の情報を、ファイルに格納し、その住宅２に固有な識別番号を含むファイル名を付して、端末５１のＨＤＤ６４の確認結果フォルダに保存し、処理を終了する。
中断ボタン１５７がクリックされていない場合（ステップＳ７６：Ｎｏ）、ステップＳ７８で、完了ボタン１５８がクリックされたか判定する。クリックされていない場合（ステップＳ７８：Ｎｏ）、図１６のＨから図７のＨを経てステップＳ２８に進み、センサボタン１５１がクリックされたか判定する。
完了ボタン１５８がクリックされた場合（ステップＳ７８：Ｙｅｓ）、図１６のＧから図１２のＧを経てステップＳ５２に進み、動作確認結果画面２１０を表示する。
【手続補正１３】
【補正対象書類名】明細書
【補正対象項目名】００７５
【補正方法】変更
【補正の内容】
【００７５】
１  インターネット
２  住宅
１０  ホームサーバ
１１ａ  分岐センサ
１１ｂ  電力計測タップ
１１ｃ、１１ｄ  発電電力量センサ
１１ｅ  ガス用パルスセンサ
１１ｆ  水道用パルスセンサ
１１ｇ  データロガー
１２  ディスプレイ
１３  ルータ
２１  ホームネットワーク
３０  分電盤
３１  主幹回路
３２  分岐回路
４１  太陽光発電装置
４２  燃料電池
４３  蓄電池
５１  端末コンピュータ
【国際調査報告】
2014049849.tif 000021
2014049849.tif 000022
2014049849.tif 000023